(57)【特許請求の範囲】
【請求項１】
支柱(6) と、この支柱(6) を中心として上下に昇降しつつ略水平回転する昇降回転部(10)と、この昇降回転部(10)の適宜位置に略水平に支持された１又は２以上の回転軸(12)と、この回転軸(12)に取り付けた腕杆(15)に回転可能に支持された１又は２以上の乗客収容部(20)とを備え、
この乗客収容部(20)が前記回転軸(12)を中心に公転すると共に、乗客収容部(20)自体が自転するものであり、
昇降回転部(10)を最下端の位置に位置させ、かつ、回転軸(12)に設けられた腕杆(15)のそれぞれを水平に位置させて乗客収容部(20)の全てを昇降回転部(10)と略同一平面上に位置させることができるように構成し、この状態で乗客の乗降を行うようにしたことを特徴とする昇降回転遊戯装置。
【請求項２】
支柱(6) と、この支柱(6) を中心として上下に昇降しつつ略水平回転する昇降回転部(10)と、この昇降回転部(10)の適宜位置に略水平に支持された１又は２以上の回転軸(12)と、この回転軸(12)に取り付けた腕杆(15)に回転可能に支持された１又は２以上の乗客収容部(20)とを備え、
この昇降回転部(10)の周囲の外側方向に向かって２本ずつの腕部(11)を設け、２本ずつ設けられた腕部の先端間に上記の回転軸(12)を水平に設け、この乗客収容部(20)が前記回転軸(12)を中心に公転すると共に、乗客収容部(20)自体が自転するものであり、乗客収容部(20)の公転軸である前記回転軸(12)と乗客収容部(20)の自転軸とが平行であることを特徴とする昇降回転遊戯装置。
【請求項３】
乗客収容部(20)がその両端部で腕杆(15)(15)に回転可能に支持され、乗客は乗客収容部(20)の自転軸とほぼ直交する方向のいずれの箇所からも搭乗できることを特徴とする請求項１又は２記載の昇降回転遊戯装置。
【発明の詳細な説明】
【０００１】
【産業上の利用分野】
本願発明は、遊園地等に設置される大型の遊戯機器である昇降回転遊戯装置に関するものである。
【０００２】
【従来の技術】
従来のものとしては、先ず、支柱と、支柱の回りを水平に回転しつつ上下に昇降する乗客収容部から成る昇降回転展望装置があり、この遊戯装置は、上下の昇降運動と水平の回転運動との組み合わせ運動を与え、乗客に周辺の展望を可能にすることを目的とするものである。また、回転する大きな台上にティーカップ形状の乗り物を複数設置し、この乗り物自体が回転する遊戯装置も存在する。この装置は、大きな水平回転運動と小さな水平回転運動との２つの運動の合成からなる遊戯装置である。更に、回転する大型の台上の周縁部に、ドラム形状の乗客収納部が設けられ、この乗客収納部自体が、前記大型台の回転とは独立に垂直面内で自転する遊戯装置も存在する。この装置は水平回転運動と垂直回転運動との２つの運動の合成運動を行うものである。
【０００３】
また、支柱の先端に放射状に複数の主腕部が設けられ、これらの主腕部は支柱を中心として回転し、且つ、上下に昇降し、これら主腕部の先端を上方に向けてこの先端部に更に複数の腕杆を放射状に設け、これらの腕杆は主腕部の先端を中心として回転するように構成され、腕杆の先端にはそれぞれ乗り物が固定して設けられた回転遊戯装置も存在する。この装置は、水平回転運動と上下昇降運動と更に水平回転運動との３つの運動が合成された動きを実現するものである。図４に図示した従来例は、２本の回転腕３０、３０の一方端に乗客収容部３１を回転自在に取り付け、回転腕３０の他方端には重り３２が付加されたものである。この乗客収容部３１は、２列にそれぞれ２０人程度の多数の乗客を搭乗させることができ、乗客は回転腕３０が取り付けられた乗客収容部３１の端部側から順次乗り込み、着席することができるものである。この装置の運動は、垂直の大きい回転運動（公転）と垂直の小さい回転運動（自転）との２つの合成運動のみから成るものである。この図においては、乗客の身体を固定するための身体保持具等の図示は簡略化のため省略している。
【０００４】
【発明が解決しようとする課題】
従来の遊戯装置においては、上記の通り各種のものがあり、その組み合わされ、合成された運動も既に出尽くした感があり、その最も複雑な動きを有する装置でさえ、３つの運動を合成したものであった。また、図４に示された従来例においては、乗客は、乗客収容部が最下方に位置した状態で乗り込むことになるため、乗客収容部は、回転腕の一方端部のみにしか設けることができない。そのため回転腕の他方端部には重りを設ける必要が生じる。更に、乗客の搭乗は、乗客収容部の回転腕が設けられた端部側から行われるため（乗客収容部３１の自転軸と直交する方向から搭乗するようにプラットホームを設けることは、乗客収容部３１の公転を考慮すれば、危険のため相応しくない。）、順次１人ずつしか乗り込めず、時間が掛かる。また、着席した中間部に空席が残されていて、後からこの空席に着席しようとする場合には、通路が極めて狭く制限されている関係上、既に着席していた乗客がその空席を順次詰めてゆかねばならず、搭乗に手間が掛かるという諸問題があった。本願発明は、これら従来の遊戯装置で実現されなかったような新しい運動を創作し、今までにない興趣を乗客に味わってもらうためのものを提供し、更には、本願発明に含まれる２つの垂直回転運動の組合せの運動においても、上記図４に図示された従来例における諸問題をも解決することをその課題としている。
【０００５】
【課題を解決するための手段】
本願の請求項１に係る発明は、支柱６と、この支柱６を中心として上下に昇降しつつ略水平回転する昇降回転部１０と、この昇降回転部１０の適宜位置に略水平に支持された１又は２以上の回転軸１２と、この回転軸１２に取り付けた腕杆１５に回転可能に支持された１又は２以上の乗客収容部２０とを備え、この乗客収容部２０が前記回転軸１２を中心に公転すると共に、乗客収容部２０自体が自転するものであり、昇降回転部１０を最下端の位置に位置させ、かつ、回転軸１２に設けられた腕杆１５のそれぞれを水平に位置させて乗客収容部２０の全てを昇降回転部１０と略同一平面上に位置させることができるように構成し、この状態で乗客の乗降を行うようにしたことを特徴とする昇降回転遊戯装置を提供する。
本願の請求項２に係る発明は、支柱６と、この支柱６を中心として上下に昇降しつつ略水平回転する昇降回転部１０と、この昇降回転部１０の適宜位置に略水平に支持された１又は２以上の回転軸１２と、この回転軸１２に取り付けた腕杆１５に回転可能に支持された１又は２以上の乗客収容部２０とを備え、この昇降回転部１０の周囲の外側方向に向かって２本ずつの腕部１１を設け、２本ずつ設けられた腕部の先端間に上記の回転軸１２を水平に設け、この乗客収容部２０が前記回転軸１２を中心に公転すると共に、乗客収容部２０自体が自転するものであり、乗客収容部２０の公転軸である前記回転軸１２と乗客収容部２０の自転軸とが平行であることを特徴とする昇降回転遊戯装置を提供する。
本願の請求項３に係る発明は、乗客収容部２０がその両端部で腕杆１５、１５に回転可能に支持され、乗客は乗客収容部２０の自転軸とほぼ直交する方向のいずれの箇所からも搭乗できることを特徴とする請求項１又は２記載の昇降回転遊戯装置を提供する。
【０００６】
【作用】
本願の請求項１又は２の発明においては、昇降回転部１０によって、上下昇降運動と水平回転運動とが行われる。次に、昇降回転部１０に設けられた回転軸１２を中心として乗客収容部２０は、公転して垂直回転運動を行う。更に、乗客収容部２０はそれ自体の自転により垂直回転運動等を行う。これらの運動により、４つの運動、即ち、上下昇降運動、水平回転運動、大きい垂直回転運動（公転）と小さい垂直回転運動（自転）等との４つの運動が合成され、本願発明に係る装置は複雑な昇降回転運動を行うことになる。
また、乗客の乗降にあたっては、昇降回転部１０を最下端の位置に位置させ、かつ、回転軸１２に設けられた腕杆１５のそれぞれを水平に位置させて乗客収容部２０の全てを昇降回転部１０と略同一平面上に位置させ、乗客の乗降を行う。このように乗客昇降部２０の回転軸１２を中心とした公転と、乗降昇降部２０の自転との組み合わせの合成運動にのみ着眼してみても、昇降回転部１０の昇降運動によって、腕杆１５の両端部にも乗客収容部２０をそれぞれ設けることが可能となる。
本願の請求項３の発明においては、上記作用に加えて、乗客は乗客収容部２０の自転軸とほぼ直交する方向の何れの箇所からも搭乗することができ、即ち、複数の乗客が同時に乗り込み、着席することが可能となる。
【０００７】
【実施例】
以下、本願発明の実施例について添付の図面に基づき説明する。添付の図面は全て本願発明の実施例を図示している。
図１は、本願発明の一実施例の全体斜視説明図である。基台５に支柱６を鉛直に設置する。この支柱６を中心として上下に昇降しつつ、水平に回転する昇降回転部１０を支柱６に設置する。この構造自体は、従来の昇降回転展望装置と同様である。
この昇降回転部１０の周囲の４つの方向の外側方向に各２本ずつの腕部１１を水平に設ける。従って、本実施例では腕部１１が昇降回転部１０の周囲に外側方向に向かって水平に８本延設されることになる。これらの腕部１１は必ずしも水平に設けなくともよく、適宜必要に応じて湾曲させて形成することもできる。
これら各２本ずつ設けられた腕部の先端間に回転軸１２を水平にそれぞれ設ける。この回転軸１２には、その両端部側にそれぞれ腕杆１５を１本ずつ設け、これら２本の腕杆１５、１５の両端部間にドラム形状の乗客収容部２０を２個設置する。このようにして、各腕部１１、１１間に同様の構成を設け、合計８個の乗客収容部２０が設けられる。
【０００８】
各々の乗客収容部２０は、回転軸１２に取り付けられた腕杆１５によって、回転軸１２の回りを公転し、垂直円運動を行う。また、各々の乗客収容部２０は、腕杆１５の両端部間で回転可能に支持されているため、それ自体が自転することができる。この自転によってドラム形状の乗客収容部２０が小さい垂直回転運動を行う。
このようにして、昇降回転部１０の上下昇降運動と水平回転運動、及び、乗客収容部２０の公転と自転による大きい垂直回転運動と小さい垂直回転運動の４つの異なる運動が本願発明に係る遊戯装置において実現される。
この実施例においては、乗客収容部２０が２本の腕杆１５、１５の両端部間に設けられ、乗客収容部の公転軸（回転軸）と自転軸は平行になっているが、腕杆及び腕杆と乗客収容部との取り付け方によっては、この公転軸と自転軸が平行にならない場合も出てくる。例えば、腕杆を１本にして実施することも可能であって、回転軸の中央に１本の腕杆を直角方向に設け、腕杆の中央が回転軸に固定されるようにし、腕杆の両端部に直接乗客収容部を所望方向に回転するように設けることも自由である。このようにしてある特定の場合には乗客収容部自体の自転軸がその公転軸と直交するような関係になる場合も生じるのである。
図１においては、図中に回転方向等を示す矢印を記入しているが、この矢印が示す方向は例示であって、回転方向は全く自由に設定することができる。
【０００９】
図２は、上記実施例における乗客収容部の正面説明図であって、扉部を開放した状態を図示している。
乗客収容部２０は、図２には図示していないが、前記した通り、回転軸に固定された腕杆の両端部間に回転自在に支持されたドラム形状のものである。このドラム形状をした、即ち、円筒形状をした乗客収容部２０は、その円筒形状の両端面２２、２２において、円筒形状の中心線が通る部位で腕杆に支持されている。また、乗客の座席部２３は、前記円筒形状の中心線に沿って５席列設されている。
扉部２１は、列設された乗客の座席部２３の前面に設けられ、その枠部を除き当然透明の素材によって形成され、展望可能としている。
乗客の座席部の数等は自由に設計することができる。また、上記実施例では乗客収容部２０の自転軸をその中心線上にしているが、その自転軸は偏心させておいてもよい。更に、扉部２１も必須のものでなく、扉部２１をなしにして実施することもできる。
【００１０】
図３は、上記実施例の乗客収容部２０の横断面説明図である。座席部２３に腰掛けた乗客は、その両肩部分に軸支された、略Ｕ字形状の身体保持具２５によってその身体が拘束される。これに加えて安全ベルトを付加することも自由である。身体保持具２５は、この遊戯装置が始動した後すぐにロックされる。
この装置においては、昇降回転部１０の動きは、即ち上下昇降運動と水平回転運動は一定速度のものとして実施し、乗客収容部２０の動き、即ち大きい垂直回転運動と小さい垂直回転運動とを自由にランダムなものとして速度に変化をつけて制御しているが、これらの４つの運動速度や運動の一時停止等は、適宜自由に設定し、組み合わせて実施することが可能である。
また、乗客収容部２０の自転の作動は、動力を用いて適宜行っているが、動力を用いずにブレーキ装置の作動と解除を利用してその自重により自然に回転させるような方式を採用することもできる。
【００１１】
以上、実施例について説明したが、各構成要素の大きさ、形状、素材等は自由に設定することができる。特に、昇降回転部１０の形状や大きさは、全く自由であって、遊園地の敷地面積や、その環境に合わせてデザインすることが可能である。
上記実施例では、図１に示したように腕部１１を外側方向に延設して回転軸１２を軸支しているが、この腕部１２は、必須のものでなく、昇降回転部１０の形状を適宜なものとすることによって、直接昇降回転部１０に軸支させることも可能である。
本願発明において各構成要素の回転運動等を作動させるための構造に関しては、従来のものを利用して実現することができる。ただ、本願に係る遊戯装置は、これまで存在していた機構や構造等を利用して、遊戯用乗り物に関する新しい運動を合成することを主眼として発明されたものである。
【００１２】
【発明の効果】
以上の構成からなる本願発明においては、昇降回転部によって上下昇降運動と水平回転運動とが行われ、更に、昇降回転部に設けられた回転軸を中心として乗客収容部は、公転と自転によって大きな垂直回転運動（公転）と小さな垂直回転運動（自転）等を行うため、上下昇降運動、水平回転運動、大きい垂直回転運動と小さい垂直回転運動等との４つの運動が合成され、今までになかった複雑な昇降回転運動を行うことになり、利用者はこれまでに経験したことのない興趣を味わうことができる。また、本願発明に含まれている大きい垂直回転運動（公転）と小さい垂直回転運動（自転）との組合せに関しても、従来においてはこれらの運動の組合せの場合、公転軌道に１つの乗客収容部しか設置できなかったが、本願発明の場合には、昇降回転部の昇降運動により、この公転軌道に２つ以上の乗客収容部を設置することも可能となる。また、乗客の乗降にあたっては、昇降回転部１０を最下端の位置に位置させ、かつ、回転軸１２に設けられた腕杆１５のそれぞれを水平に位置させて乗客収容部２０の全てを昇降回転部１０と略同一平面上に位置させ、乗客の乗降を行うことも可能となる。
本願の請求項３に係る発明にあっては、上記効果に加えて、乗客は乗客収容部の前方から、即ち、自転軸とほぼ直交する方向の何れの箇所からも搭乗することができ、即ち、複数の乗客が同時に乗り込み、着席することができ、乗客収容部への搭乗に手間取るということがない。以上、本願発明は著大な効果を発揮するものである。
【図面の簡単な説明】
【図１】本願発明の一実施例の概略全体斜視説明図である。
【図２】本願発明の一実施例の乗客収容部の正面説明図である。
【図３】本願発明の一実施例の乗客収容部の横断面説明図である。
【図４】従来の回転遊戯装置の一例を示す概略斜視説明図である。
【符号の説明】
６ 支柱、１０ 昇降回転部、１２ 回転軸、１５ 腕杆、２０ 乗客収容部。
【図１】
0003671065.tif 000002
【図２】
0003671065.tif 000003
【図３】
0003671065.tif 000004
【図４】
0003671065.tif 000005